(57)【要約】【課題】  発光素子から射出される光の集光率を高めるとともに、スペース効率も高くし、さらに、冷却効果を高める。【解決手段】  １１は発光ダイオード（以下「ＬＥＤ」という）である。１２は、放物面鏡を有したリフレクタであり、ＬＥＤ１１を上方から覆っている。この場合、リフレクタ１２の放物面鏡は、全方位の放物面に対して、その軸線を水平に横切る平面で切断した際の上側の放物面の形状になっている。また、１３は半円筒状のカバーであり、リフレクタ１２の開口側の端縁はカバー１３に内接している。また、ＬＥＤ１１の発光点はリフレクタ１２の放物面鏡の焦点に位置している。上記構成によれば、ＬＥＤ１１から出力される光のほとんどはリフレクタ１２に集光され、平行光として出射する。【選択図】      図１
2007080565.tif 000002
【特許請求の範囲】
【請求項１】
光源と、
前記光源が設けられる基板と、
焦点とこの焦点を通る軸線を有する曲面であって、前記軸線を通る平面で分離された一方の側の面を反射面とし、前記光源を前記反射面によって前記基板に対向する側から覆い、前記軸線に沿った一方側が開口して前記光源の反射光の出射口となっている反射板とを有し、
前記光源は前記焦点に位置していることを特徴とする光源装置。
【請求項２】
前記反射曲面は、放物面、双曲線面または楕円面に対し、軸線を通る平面で分離した一方の側の面で形成されることを特徴とする請求項１記載の光源装置。
【請求項３】
前記反射板と前記基板の位置関係は、前記反射板が捉える前記光源の光束が最大もしくはその近傍となるように、前記軸線が前記基板に対して傾きを持つことを特徴とする請求項１または２記載の光源装置。
【請求項４】
前記基板を冷却する冷却風を送風する送風手段を具備することを特徴とする請求項１から３いずれかに記載の光源装置。
【請求項５】
請求項１から４いずれかに記載の光源装置を、前記出射口が同一方向を向くように前記基板を平行にして複数近接して設けたことを特徴とするアレイ光源装置。
【請求項６】
前記複数の光源装置を、複数行複数列となるようにマトリクス状に近接して設けたことを特徴とする請求項５記載のアレイ光源装置。
【請求項７】
前記基板の位置が前記光源の上になる行と下になる行が交互に連続するように配置されることを特徴とする請求項６記載のアレイ光源装置。
【発明の詳細な説明】
【技術分野】
【０００１】
本発明は、プロジェクタや露光装置、測定器、プリンタ等の照明装置の光源に用いて好適な光源装置およびアレイ光源装置の技術に関する。
【背景技術】
【０００２】
従来、プロジェクタ等の光源装置においては、ＬＥＤやアークランプ等の発光素子により放射された光を平行光に整形するために、放物面鏡（リフレクタ）やコリメーターレンズ等の光学構造体が用いられている。
【０００３】
図１６はリフレクタを用いた従来の光源装置５の構造を示す側断面図である。図において発光素子５１から放射される出力光のうち、−９０°〜−３５°，３５°〜９０°の範囲の角度で出射される出力光は、放物面鏡であるリフレクタ５２によって反射されて平行光となる。それ以外の範囲の角度の光は集光することができない。
ここで、図１７の（ａ）は、図１６に示す光源装置５を中央から垂直方向に切断した場合の斜視図であり、図１７の（ｂ）は、図１７に示す光源装置５をリフレクタ５２の開口面側からみた正面図である。
【０００４】
次に、図１８の（ａ）および（ｂ）は、図１６，図１７に示した発光素子５１から出射される照明光の配光強度分布の一例を示す図であり、リフレクタ５２を用いた場合に取り込まれる（集光される）光の範囲を右上がりのハッチングで、取り込めない光の範囲を右下がりのハッチングでそれぞれ図示している。リフレクタ５２を用いた場合、図１６に示すように−３５°〜＋３５°の範囲の角度の光は集光することができず、本願発明者が計算した結果、その集光率は、発光素子５１の配光強度分布が図１８の（ａ）に示す場合は約６０％、図１８の（ｂ）に示す場合は約８５％となる。
【０００５】
次に、コリメーターレンズを用いた光源装置について説明する。図１９はコリメーターレンズを用いた従来の光源装置６において、発光素子６１とコリメーターレンズ６２の位置関係を示す斜視図であり、図２０は光源装置６の側断面図である。図２０に示すように、発光素子６１の出力光のうち、−３５°〜＋３５°の範囲の角度で出射される出力光は、コリメーターレンズ６２によって反射されて平行光になる。それ以外の範囲の角度の光は集光することができない。
【０００６】
図２１は、発光素子６１から出射される照明光の配光強度分布の一例を示す図であり、コリメーターレンズ６２を用いた場合に集光される光の範囲を右上がりのハッチングで、取り込めない光の範囲を右下がりのハッチングでそれぞれ図示している。コリメーターレンズ６２を用いた場合、図２０に示すように−３５°〜＋３５°の範囲の光は集光することができず、本願発明者が測定した結果、その集光率は約６５％となる。
上述したリフレクタやコリメーターレンズを用いた光源装置は種々開発されており、例えば、特開２００５−１５７０５９号公報に記載されている。
【特許文献１】特開２００５−１５７０５９号公報
【発明の開示】
【発明が解決しようとする課題】
【０００７】
光源装置においては、発光素子から出射される出力光の集光率を高くすることが求められている。リフレクタを用いて発光素子からの出力光を集光する場合は、リフレクタの配光角を広くすれば、光の集光率を高くすることができる。しかしながら、配光角を広くすると、リフレクタの開口サイズが大きくなり、光源装置のサイズが大きくなってしまうという問題がある。特に、複数の発光素子とリフレクタとをアレイ状に配置して構成される照明光源システムにおいては、各々のリフレクタの開口サイズが大きくなると、システムが巨大になってしまうという問題がある。また、大きなリフレクタを用いる場合には、単位面積当たりに配置できる発光素子の数が非常に少なくなってしまう。
【０００８】
逆に、単位面積あたり多くの発光素子を配置しようとすると、リフレクタを小さく構成する必要があるが、リフレクタを小さくすると、取り込める配光角が狭くなり、少しの光しか取り込むことができなくなってしまう。
【０００９】
また、上述したような複数の発光素子を用いた照明光源システムにおいては、発光素子１個当たりの放熱面積が小さいために、十分な冷却が出来ないという問題がある。
【００１０】
また、冷却風を基板と平行な方向に流す場合はスペースが大きくなり、システムも大きくなる。逆に、基板に直行する方向から冷却風を当てる場合、冷却風は、基板に当たった後向きを変えて流れ出ていくので、通風抵抗が高くなり、冷却ファンの回転数を上げることになり、騒音値が増大してしまうという問題がある。
【００１１】
本発明は上述した背景に鑑みてなされたものであり、その目的は、発光素子から射出される光の集光率を高めるとともに、スペース効率も高くすることのできる技術を提供することである。また、本発明においては、冷却効果を高めることも目的としている。
【課題を解決するための手段】
【００１２】
上記目的を達成するために、本発明は、光源と、前記光源が設けられる基板と、焦点とこの焦点を通る軸線を有する曲面であって、前記軸線を通る平面で分離された一方の側の面を反射面とし、前記光源を前記反射面によって前記基板に対向する側から覆い、前記軸線に沿った一方側が開口して前記光源の反射光の出射口となっている反射板とを有し、前記光源は前記焦点に位置していることを特徴とする光源装置を提供する。
【００１３】
本発明の好ましい態様において、前記反射曲面は、放物面、双曲線面または楕円面に対し、軸線を通る平面で分離した一方の側の面で形成されるようにしてもよい。
また、本発明の更に好ましい態様において、前記反射板と前記基板の位置関係は、前記反射板が捉える前記光源の光束が最大もしくはその近傍となるように、前記軸線が前記基板に対して傾きを持つようにしてもよい。
また、本発明の更に好ましい態様において、前記基板を冷却する冷却風を送風する送風手段を具備するようにしてもよい。
【００１４】
また、本発明は、上述した光源装置を、前記出射口が同一方向を向くように前記基板を平行にして複数近接して設けたことを特徴とするアレイ光源装置を提供する。
本発明の好ましい態様において、前記複数の光源装置を、複数行複数列となるようにマトリクス状に近接して設けるようにしてもよい。
また、本発明の更に好ましい態様において、前記基板の位置が前記光源の上になる行と下になる行が交互に連続するように配置されるようにしてもよい。
【発明を実施するための最良の形態】
【００１５】
以下、図面を参照し、この発明の実施の形態を説明する。
＜第１実施形態＞
図１は、この発明の第１実施形態である光源装置１の概略構成を示す斜視図であり、図において１１は発光ダイオード（以下「ＬＥＤ」という）である。１２は、放物面鏡を有したリフレクタであり、ＬＥＤ１１を上方から覆っている。この場合、リフレクタ１２の放物面鏡は、全方位の放物面に対して、その軸線を水平に横切る平面で切断した際の上側の放物面（以下、このように軸線を横切る平面で分離した片側の放物面を半放物面という）の形状になっている。また、１３は半円筒状のカバーであり、リフレクタ１２の開口側の端縁はカバー１３に内接している。また、ＬＥＤ１１の発光点はリフレクタ１２の放物面鏡の焦点に位置している。
ここで、図２の（ａ）は、図１に示す光源装置１を軸線を通る垂直面で切断した斜視図であり、図２の（ｂ）は、図１に示すカバー１３の上部を取り外した図である。なお、これらの図においてＰ１は、放物面鏡の軸線を通る垂直面である。図２の（ｂ）に示すように、カバー１３の下部は放物面鏡の下端の形状に対応した切り欠きを有している。この切り欠き部分の縁と放物面鏡の下端縁とが接合されている（図２の（ａ）参照）。
【００１６】
次に、図３の（ａ）、（ｂ）、（ｃ）は、各々図１に示す光源装置１の底面図、側断面図、横断面図である。ＬＥＤ１１から出射される照明光は、図３（ａ）〜（ｃ）の矢印で示すように、リフレクタ１２によりほぼ平行光線となって出射する。
【００１７】
図３（ｂ）、（ｃ）に示すようにＬＥＤ１１は基台部１５ａに取り付けられており、基台部１５ａの下端はヒートシンク１５ｂに取り付けられている。これにより、ＬＥＤ１１から発せられる熱は、ヒートシンク１５ｂを介して放熱される。１５ｃは、ＬＥＤ１１，基台１５ａ、ヒートシンク１５ｂを覆う樹脂製のモールドである。このモールド１５ｃからは電極１５ｄ、１５ｄが延びており、この電極１５ｄ、１５ｄにＬＥＤ１１のアノードおよびカソードがボンディングされている。電極１５ｄ、１５ｄは基板１６の配線パターンに半田付け等により接合されている。この配線パターンを介して、ＬＥＤ１１の発光を制御する駆動回路が取り付けられている（図示略）。また、駆動回路は基板１６とは異なる別の基板に取り付けられている。ＬＥＤ１１が取り付けられている基板１６はリフレクタ１２から出射される平行光線に対して平行となるように設けられている。
【００１８】
ここで、図４の（ａ）および（ｂ）は、ＬＥＤ１１から出射される照明光の配光強度分布の一例を示す図であり、本実施形態において取り込むことのできる光の角度の範囲を右上がりのハッチングで、取り込めない光の角度の範囲を右下がりのハッチングでそれぞれ図示している。図３に示すように、光源装置１は、ＬＥＤ１１の発光点から上方に延びる垂直線の方向を０°とし、その位置から光の出射方向側の領域を＋、その反対側の領域を−とした場合に、−９０°〜−７５°，７５°〜９０°の範囲の光は取り込むことができないが、その他の範囲の光は全て取り込むことができるため、集光範囲が広い。本願発明者が計算した結果、光源装置１の集光率は、図４の（ａ）に示す配光強度分布を有する発光素子の場合は約９５％、図４の（ｂ）に示す配光強度分布を有する発光素子の場合は約７５％となる。
【００１９】
図１８および図２１で説明した従来技術における光源装置の集光率と比較すると、図４の（ａ）に示す配光強度分布を示す発光素子の場合、その集光率は約１．５倍となる。また、本実施形態におけるリフレクタ１２は、半放物面であるため、その開口部の面積は、図１６および図１９に示した従来技術のそれ比較すると約０．５倍となる。すなわち、同じ発光素子を用いた場合では、光源装置１は、従来技術に比べて約半分の面積で構成することが可能となる。すなわち、狭い面積でより多くの光を集めることが可能となる。特に、複数の発光素子とリフレクタとをアレイ状に配置する場合は、各々のリフレクタのサイズが小さいために、単位面積当たりに配置できる発光素子の数を多くすることが可能となる。
【００２０】
以上説明したように本実施形態においては、半放物面のリフレクタを用いることによって、ＬＥＤからの出力光を効率よく集めることが可能となる。また、リフレクタの開口部の面積が小さいため、複数の発光素子とリフレクタとをアレイ状に配置する場合においては、各々が占める面積が小さいため、単位面積あたりの発光素子の数を従来よりも多くすることができ、発光効率を高くすることが可能となる。
【００２１】
なお、上述した実施形態においては、半放物面のリフレクタを用いたが、リフレクタの形状はこれに限定されるものではない。例えば、図５に示すように、全方位の楕円面をその軸を通る水平面で切断した場合の上側の面（以下、半楕円面という）のリフレクタを用いるようにしてもよい。より詳細に説明すると、図５において、２２は、半楕円面のリフレクタである。リフレクタ２２によって形成される半楕円面の一方の焦点には、ＬＥＤ１１が配置されており、他方の焦点には、入射された光をミキシングして出力するロッドインテグレータ２３が配置されている。楕円の焦点に配置されたＬＥＤ１１から出射される出力光は、リフレクタ２２で反射して他方の焦点に設けられたロッドインテグレータ２３に入射する。
【００２２】
リフレクタ２２は、半楕円面であるため、全方位の楕円面のリフレクタを用いる場合と比較すると、同じ発光素子を用いた場合、光源装置の高さ（図面縦方向）を約半分のサイズにすることができる。特に、複数の発光素子とリフレクタとをアレイ状に配置する場合は、各々のリフレクタのサイズが小さいために、単位面積当たりに配置できる発光素子の数を多くすることが可能となり、発光効率を高くすることができる。
また、ＬＥＤ１１を冷却するための冷却風を送付するファンを設けてもよい。この場合、基板１６に放熱板を密着させ、この放熱板に送風を行うようにしてもよい。
【００２３】
＜第２実施形態＞
次に、この発明の第２実施形態を説明する。
図６は、この発明の第２実施形態であるアレイ光源装置３の外観を示す斜視図である。また、図７および図８は、各々図６に示すアレイ光源装置３の正面図および側断面図である。図６において、３１は、複数のＬＥＤ１１が設けられた基板である。図示のように、このアレイ光源装置３は、第１実施形態である光源装置１を、リフレクタ１２の出射口が同一方向を向くように放物面の軸線を平行にして、複数行複数列となるようにマトリクス状に近接して設けて構成されている。基板３１には、ＬＥＤ１１が取り付けられているが、基台１５ａ、ヒートシンク１５ｂ、モールド１５ｃ、電極１５ｄ、１５ｄの構成は前述した図３（ｂ）、（ｃ）の場合と同様である。また、基板３１の下面には、放熱板３５が設けられている。放熱板３５のフィンは、光の出射方向に延びており、各フィンの間は送風路を形成している。
【００２４】
図８において、３２は、アレイ光源装置３を冷却する冷却ファンである。この冷却ファン３２は、リフレクタ１２の外壁およびカバー１３に対して冷却風を送風してアレイ光源装置３を冷却する。冷却ファン３２から送風される冷却風は、図中の矢印で示すように、基板３１の下面に沿って放熱板３５のフィンの間を送風路として通過し、ＬＥＤ１１の発熱をその直近において効率よく放熱する。なお、図８においては、送風状態を示すために、放熱板３５のフィンは省略してある。
【００２５】
このように、本実施形態においては冷却風を基板３１と平行な方向に流すことができるため、冷却風が基板３１に遮られることがなく、通風抵抗を低くすることができる。またリフレクタ１２に直接冷却風を当てることができるため、効率よく冷却することが可能となる。このため、従来に較べて冷却風の風量を少なくしても、充分な冷却効果が得られる。ここで、参考のために図２２に従来の冷却構造を示す。図示のように放物面鏡が取り付けられた基板７１の裏面に放熱板７３が取り付けられ、この放熱板７３に対してファン７２から冷却風が送風されるが、冷却風の送風方向を遮るように放熱板７３、基板７１が位置しているので、放熱効率が悪い。これに対し、本実施形態においては、冷却風は抵抗をほとんど受けずに基板３１の下面を通り過ぎるので冷却効率が高い。したがって、従来よりも小さな冷却ファンを用いることができる。逆に、従来方式と同等の冷却ファンを用いる場合は、その回転数を落として風量を小さくすることができ、これによって冷却ファンによる騒音値を低くすることが可能である。
【００２６】
また、図６と図２３を比較すると明らかなように、本実施形態であるアレイ光源装置３の光源装置１のリフレクタの出射口の面積は、図２３に示す全方位の放物面のリフレクタを用いた従来のアレイ光源装置７に較べて約半分であり、そのため、本実施形態においては、単位面積当たりの発光素子の数を従来方式よりも多くすることが可能となる。さらに、第１実施形態で示したように、光源装置１の各々の光量は従来と比較すると約１〜１．５倍であるから、単位面積当たりの発光素子の数を増やすことによって、本実施形態においては従来よりも大幅に光量を増やすことが可能となる。
【００２７】
また、本実施形態では、ＬＥＤ１１が設けられた基板３１に、ＬＥＤ１１と近接して駆動素子を配置することができるため、ＬＥＤ１１毎に駆動素子を配置してＬＥＤ１１の各々に対して個別の制御が可能となる。具体的には、例えば、１つのアレイ光源装置３に、波長属性の異なるＲ（レッド）、Ｇ（グリーン）、Ｂ（ブルー）といった複数の種類のＬＥＤを配置することも可能となり、そのため、各色の合成用のダイクロイックプリズム等色合成系が不要となる。これにより、カラー表示に対応した小型でかつシンプルな構成のアレイ光源装置を低コストでつくることが可能となる。図９にダイクロックプリズムを用いた構成を示すが、図示のように、Ｒ（レッド）だけのアレイ光源ＲＬ、Ｇ（グリーン）だけのアレイ光源ＧＬ、Ｂ（ブルー）だけのアレイ光源ＢＬをそれぞれ設け、各アレイ光源からの出射光をダイクロックプリズムＤＰで色合成するために、構成は複雑になり、形状も大きくなる。なお、図９において、Ｌ１はコンデンスレンズ、Ｌ２はロッドインテグレータである。
また、本実施形態においては、各々のＬＥＤ１１について、例えば駆動電流やＯＮ／ＯＦＦ制御等の個別の制御が可能であるため、複数のＬＥＤの色度や明るさなどのばらつきに合わせて、個別の給電制御を行うことができる。
【００２８】
なお、上述したようにＬＥＤ１１毎に駆動素子を設ける構成に代えて、アレイを構成する列毎に駆動素子を設け、列毎に発光素子を制御するようにしてもよい。
また、アレイ光源装置における光源装置の配置は、例えば、図１０に示すように、基板３１の位置がＬＥＤ１１の上になる行と下になる行が交互に連続するようにしてもよい。図１０に示すような配置にすれば、光源装置の密度をより高くすることが可能となる。
また、発光素子が並ぶ方向と直行する方向に放熱板を延長させて設けるようにし、より冷却効果を高めるようにしてもよい。この場合、放熱板のフィンとフィンの間の空間が通風路となる方向に配置すれば、より効率的である。
また、光源装置の配置の仕方は、上述した配置方法に限定されることなく、任意の集合方法を用いてもよい。
【００２９】
＜第３実施形態＞
次に、この発明の第３実施形態を説明する。
図１１は、この発明の第３実施形態である光源装置ユニット４の外観を示す斜視図である。また、図１２および図１３は、各々図１１に示す光源装置ユニット４の正面図および側断面図である。図１２に示すように、光源装置４は、正面から見た場合に、円周方向に等間隔で（９０°間隔で）配置された４つのＬＥＤ４１と、ＬＥＤ４１に対応して設けられた半放物面のリフレクタ４２とを備えている。各リフレクタ４２は、ＬＥＤ４１が配置される円周に対して内側に等間隔で設けられ、その反射面が円周の外側を向くように配置されている。また、４つのリフレクタ４２は集合体５０として一体に形成されている。
ここで、ＬＥＤ４１の出射点は、リフレクタ４２の半放物面の焦点に位置するように設定され、これにより、ＬＥＤ４１から出射される光は、第１実施形態の場合と同様にしてリフレクタ４２によりほぼ平行光線となって出射する。
【００３０】
４５は放熱板であり、基板１６に密着して設けられている。また、基板１６には前述した第１実施形態と同様に、ＬＥＤ４１を駆動する駆動素子１５が取り付けられている。放熱板４５は、そのフィンがリフレクタ４２の出射方向に沿うようにして、集合体５０に４本のロッドを介して取り付けられている。
４３は、リフレクタ４２から出射される光を収束するコンデンサレンズである。コンデンサレンズ４３によって集光された光は、ロッドインテグレータ４４に入射されてミキシングされる。このロッドインテグレータ４４は、ガラスや樹脂などで形成された直方体形状の透明な導光路である。以上の構成により、ＬＥＤ４１の照明光は、コンデンサレンズ４３を通過することにより収束され、ロッドインテグレータ４４の一方の端面に入射し、ロッドインテグレータ４４の側面により全反射されつつ伝播し、ロッドインテグレータ４４の他方の側面から出射される。
【００３１】
図１３に示すように集合体５０の背面側には、冷却ファン５５が設けられている。これらの図から分かるように、冷却ファン５５からの送風は、放熱板４５のフィンの間を通風路として通過してゆく。したがって、本実施形態においては、効率的な冷却を行うことができる。ここで参考のために、光源装置ユニット４の上部の放熱板４５を取り外した状態を図１４に示す。
【００３２】
本実施形態においては、４つのＬＥＤを円周上に配置しているため、極めてコンパクトな密度の高い光源を得ることができる。
【００３３】
＜変形例＞
以上、本発明の実施形態について説明したが、本発明は上述した実施形態に限定されることなく、他の様々な形態で実施可能である。
（１）例えば、上述した各実施形態においては、リフレクタの反射面の形状は、放物面や楕円面の場合を例示したが、双曲線面などを用いてもよい。要するに、焦点とこの焦点を通る軸線を有する曲面であって、軸線を通る平面で分離された一方の側の面を反射面として、前記光源を前記反射面によって前記基板に対向する側から覆い、前記軸線に沿った一方側が開口して前記光源の光の出射口となっている反射板を用いればよい。
【００３４】
（２）上述した実施形態においては、基板１６はリフレクタ１２から出射される平行光線に対して平行となるように設けられていたが、基板１６とリフレクタ１２から出射される平行光線との間に角度を設けるようにしてもよい。この点について以下に説明する。
スペースなどの関係でリフレクタ１２の高さ方向に制限がある場合は、例えば、図１５（ａ）に示すようにＬＥＤ（図示略）の発光点Ｏから上方に延びる垂直線の方向を０°としたとき、図面右側においては、高さ方向の制限によってリフレクタ１２が垂直方向から４０°の方向までしか出射光を捉えられないことがある。この場合においてＬＥＤの出射特性が図１５（ｂ）に示す特性であるとすると、図に破線で示す−６０°から４０°までの範囲の出射光がリフレクタ１２によって反射されることになる。この部分の光束の量をＡ１とする。
【００３５】
一方、図１５（ｃ）に示すように、リフレクタ１２の角度を垂直線（０°）に対して右側に１０°傾けると、リフレクタ１２が捉えるＬＥＤの光束は、図１５（ｄ）に示すように−５０°〜５０°の範囲となり、この部分の光束の量をＡ２とすると、Ａ１＜Ａ２となり、捉えうる光束の量が多く、効率が良くなることが分かる。
なお、図１５（ｃ）に示す状況では、リフレクタ１２から出射される平行光線と基板１６とは平行にならず１０°の交差角を持つが、リフレクタ１２の下端で反射された光ｂは、基板１６に遮られることなく直進するので無駄になることはない。
以上のように、反射板と基板の位置関係は、反射板が捉える光源の光束が最大もしくはその近傍となるように、反射板の反射曲面の焦点を通る軸線に対して傾けて設定するとよい。
【図面の簡単な説明】
【００３６】
【図１】本発明の第１実施形態である光源装置の概略構成を示す斜視図である。
【図２】同実施形態の内部構造を示す図である。
【図３】同実施形態の内部構造を示す図である。
【図４】発光素子の配光強度分布の一例を示す図である。
【図５】同実施形態の変形例である光源装置の構成を示す図である。
【図６】本発明の第２実施形態であるアレイ光源装置の外観を示す斜視図である。
【図７】同実施形態の正面図である。
【図８】同実施形態の側断面図である。
【図９】ダイクロイックプリズムを用いた構成を示す図である。
【図１０】同実施形態の変形例であるアレイ光源装置の正面図である。
【図１１】本発明の第３実施形態である光源装置ユニットの外観を示す斜視図である。
【図１２】同実施形態の正面図である。
【図１３】同実施形態の側断面図である。
【図１４】同実施形態である光源装置ユニットの上部の放熱板を取り外した状態を示す斜視図である。
【図１５（ａ）】本発明の変形例である光源装置の構成を示す図である。
【図１５（ｂ）】同変形例に係る発光素子の出射特性を示す図である。
【図１５（ｃ）】同変形例の光源装置の構成を示す図である。
【図１５（ｄ）】同変形例に係る発光素子の出射特性を示す図である。
【図１６】リフレクタを用いた光源装置の構造を示す側断面図である。
【図１７】リフレクタを用いた光源装置の内部構造を示す図である。
【図１８】発光素子の配光強度分布の一例を示す図である。
【図１９】コリメートレンズを有する光源装置の外観を示す斜視図である。
【図２０】コリメートレンズを有する光源装置の側断面図である。
【図２１】発光素子の配光強度分布の一例を示す図である。
【図２２】全方位の放物面のリフレクタを用いた従来のアレイ光源装置の構造を示す側断面図である。
【図２３】全方位の放物面のリフレクタを用いた従来のアレイ光源装置の外観を示す斜視図である。
【符号の説明】
【００３７】
１，４，５，６…光源装置、３，７…アレイ光源装置、１１，４１…ＬＥＤ、１２，２２，４２，５２…リフレクタ、１３…カバー、１５…駆動素子、１６，３１…基板、２３，４４…ロッドインテグレータ、３２，５５…冷却ファン、３５，４５…放熱板、４３…コンデンサレンズ、５１，６１…発光素子、６２…コリメーターレンズ。
【図１】
2007080565.tif 000003
【図２】
2007080565.tif 000004
【図３】
2007080565.tif 000005
【図４】
2007080565.tif 000006
【図５】
2007080565.tif 000007
【図６】
2007080565.tif 000008
【図７】
2007080565.tif 000009
【図８】
2007080565.tif 000010
【図９】
2007080565.tif 000011
【図１０】
2007080565.tif 000012
【図１１】
2007080565.tif 000013
【図１２】
2007080565.tif 000014
【図１３】
2007080565.tif 000015
【図１４】
2007080565.tif 000016
【図１５（ａ）】
2007080565.tif 000017
【図１５（ｂ）】
2007080565.tif 000018
【図１５（ｃ）】
2007080565.tif 000019
【図１５（ｄ）】
2007080565.tif 000020
【図１６】
2007080565.tif 000021
【図１７】
2007080565.tif 000022
【図１８】
2007080565.tif 000023
【図１９】
2007080565.tif 000024
【図２０】
2007080565.tif 000025
【図２１】
2007080565.tif 000026
【図２２】
2007080565.tif 000027
【図２３】
2007080565.tif 000028